(57)【要約】【課題】  印刷版に対して常に一定の湿し水を供給することにより、印刷版の品質を一定以上に保持することができる多色印刷装置を提供することを目的とする。【解決手段】  駆動伝達手段は、第１の版胴の側方に配設された駆動ギヤ８１と、伝達ギヤ８２と、伝達ギヤ８３と、中間ギヤ８４と、駆動ギヤ８５と、駆動ギヤ８５と噛合して水着けローラ７７を回転させるために水着けローラ７７の側方に配設された駆動ギヤ８６とを備える。この駆動ギヤ８６は、水着けローラ７７と第１の版胴１１とを同一周速度で回転させるために本来必要とされるギヤの歯数よりも多くの歯数を有する。このため、水着けローラ７７が印刷版Ｐから離隔する位置に配置されているときには、水着けローラ７７は、第１の版胴１１よりも遅い周速度で回転する。【選択図】        図５
2005254649.tif 000002
【特許請求の範囲】
【請求項１】
版胴の外周部に装着された印刷版における複数の画像領域に対し、各々異なる色のインキを供給するための複数のインキ供給装置と、前記複数の画像領域の各々に個別に湿し水を供給するための、前記複数のインキ供給装置と同数の湿し水供給装置とを備える多色印刷装置において、
前記湿し水供給装置は、前記印刷版と当接する位置と前記印刷版から離隔する位置との間を移動可能な水着けローラを備え、
前記版胴の駆動を前記水着けローラに伝達することにより、前記水着けローラを、前記印刷版から離隔した位置において、前記版胴の周速度より遅い周速度で回転させる駆動伝達手段を配設するとともに、
前記駆動伝達手段は、前記水着けローラを前記版胴の回転方向とは逆方向に自由に回転可能とする一方向クラッチを備えることを特徴とする多色印刷装置。
【請求項２】
請求項１に記載の多色印刷装置において、
前記印刷版から離隔した位置における前記水着けローラの周速度と、前記版胴の周速度との速度差は、前記版胴の周速度の３パーセント以下である多色印刷装置。
【請求項３】
請求項１または請求項２に記載の多色印刷装置において、
前記駆動伝達手段は、前記版胴の側方に配設されたギヤと、前記水着けローラの側方に配設されたギヤと、前記版胴の側方に配設されたギヤと前記水着けローラの側方に配設されたギヤとを連結する中間ギヤとを備え、
前記一方向クラッチは、前記水着けローラの側方に配設されたギヤと前記水着けローラとの間に配設される多色印刷装置。
【請求項４】
請求項１または請求項２に記載の多色印刷装置において、
前記駆動伝達手段は、前記版胴の側方に配設されたギヤと、前記水着けローラの側方に配設されたギヤと、前記版胴の側方に配設されたギヤと前記水着けローラの側方に配設されたギヤとを連結する中間ギヤとを備え、
前記水着けローラの側方に配設されたギヤは、前記水着けローラと前記版胴とを同一周速度で回転させるためのギヤより多くの歯数を有する多色印刷装置。
【請求項５】
請求項１乃至請求項４のいずれかに記載の多色印刷装置において、
水着けローラ上に転移した湿し水をならすためのライダーローラをさらに備え、
前記水着けローラと前記ライダーローラとは、前記駆動伝達手段とは別の駆動伝達手段を介して同一の周速度で回転する多色印刷装置。
【発明の詳細な説明】
【技術分野】
【０００１】
この発明は、版胴に保持された印刷版における複数の画像領域に対し、各々異なる色のインキを供給するための複数のインキ供給装置と、前記複数の画像領域の各々に個別に湿し水を供給するための前記複数のインキ供給装置と同数の湿し水供給装置とを備える多色印刷装置に関する。
【背景技術】
【０００２】
その外周部に複数の印刷版を装着した版胴と、この版胴に保持された複数の印刷版における画像領域に対し各々異なる色のインキを供給するための複数のインキ供給装置とを備え、単一の版胴や圧胴を利用して複数色のインキで印刷を行う多色印刷装置は公知である。
【０００３】
たとえば、特許文献１には、その外周部に２枚の印刷版を装着した版胴と、この版胴上の各印刷版に各々異なる色のインキを供給するための２個のインキ供給装置と、版胴上の各印刷版に湿し水を供給するための単一の湿し水供給装置と、版胴の２分の１の直径を有する圧胴とを有し、圧胴が２回転する毎に印刷用紙を供給することにより、印刷用紙に２色のインキで印刷を行う多色印刷装置が記載されている。
【０００４】
この特許文献１に記載された多色印刷装置においては、異なる色のインキで印刷を行うべき印刷版に対し、単一の湿し水供給装置により湿し水を供給する構成となっている。しかしながら、このような構成を採用した場合においては、湿し水供給装置における水着けローラ等のローラにインキが乳化して付着する等により、印刷版の各画像領域に本来供給されるべき色のインキとは別の色のインキが付着し、印刷物に汚れが発生するという問題が生じる。
【０００５】
そこで、特許文献２では、特許文献１における問題を解決するために、複数の画像領域の各々に個別に湿し水を供給するため、複数のインキ供給装置と同数の湿し水供給装置を設けている。そして、各湿し水供給装置には、印刷版の表面に当接して画像領域に湿し水を供給する位置と、印刷版の表面から離隔する位置との間を揺動可能な水着けローラが配設されている。このため、特許文献２に記載の装置では、印刷物に対する汚れの発生を防止することができる。このような水着けローラは、水着けローラ表面の湿し水の膜厚を一定にして、印刷版に対して常に一定の湿し水を供給するため、または、水着けローラと印刷版との滑りにより印刷版に傷を付けないために、版胴の周速度と同一の周速度で回転する必要がある。
【特許文献１】特開平３−１４３６３４号公報
【特許文献２】特開平１１−９９６１７号公報
【発明の開示】
【発明が解決しようとする課題】
【０００６】
水着けローラの周速度と版胴の周速度を同一に維持するためには、一般的に、水着けローラの側方に配設されたギヤと版胴の側方に配設されたギヤとを、直接、あるいは、中間ギヤを介して連結する構成が採用される。しかしながら、このような構成を採用した場合には、ギヤの加工精度等に起因して水着けローラの周速度が版胴の周速度に対してわずかに変化する場合がある。このような場合には、印刷版への湿し水の供給量が変化し、所謂「ギヤ目」と呼ばれる印刷むらが発生する。
【０００７】
また、版胴に保持された印刷版における複数の画像領域に対し、各々異なる色のインキを供給するための複数のインキ供給装置と、複数の画像領域の各々に個別に湿し水を供給するための複数のインキ供給装置と同数の湿し水供給装置とを備える多色印刷装置においては、水着けローラを必要な画像領域にのみ当接させる必要があることから、水着けローラを印刷版に当接可能な湿し水の供給位置と退避位置との間で往復移動させる必要がある。このような印刷装置においては、水着けローラが印刷版に当接するときにギヤ目が生じやすいという問題が生ずる。
【０００８】
この発明は、このような課題を解決するためになされたものであり、印刷版に対して常に一定の湿し水を供給することにより、印刷版の品質を一定以上に保持することができる多色印刷装置を提供することを目的とする。
【課題を解決するための手段】
【０００９】
請求項１に記載の発明は、版胴の外周部に装着された印刷版における複数の画像領域に対し、各々異なる色のインキを供給するための複数のインキ供給装置と、前記複数の画像領域の各々に個別に湿し水を供給するための、前記複数のインキ供給装置と同数の湿し水供給装置とを備える多色印刷装置において、前記湿し水供給装置は、前記印刷版と当接する位置と前記印刷版から離隔する位置との間を移動可能な水着けローラを備え、前記版胴の駆動を前記水着けローラに伝達することにより、前記水着けローラを、前記印刷版から離隔した位置において、前記版胴の周速度より遅い周速度で回転させる駆動伝達手段を配設するとともに、前記駆動伝達手段は、前記水着けローラを前記版胴の回転方向とは逆方向に自由に回転可能とする一方向クラッチを備えることを特徴とする。
【００１０】
請求項２に記載の発明は、請求項１に記載の多色印刷装置において、前記印刷版から離隔した位置における前記水着けローラの周速度と、前記版胴の周速度との速度差は、前記版胴の周速度の３パーセント以下である。
【００１１】
請求項３に記載の発明は、請求項１または請求項２に記載の多色印刷装置において、前記駆動伝達手段は、前記版胴の側方に配設されたギヤと、前記水着けローラの側方に配設されたギヤと、前記版胴の側方に配設されたギヤと前記水着けローラの側方に配設されたギヤとを連結する中間ギヤとを備え、前記一方向クラッチは、前記水着けローラの側方に配設されたギヤと前記水着けローラとの間に配設される。
【００１２】
請求項４に記載の発明は、請求項１または請求項２に記載の多色印刷装置において、前記駆動伝達手段は、前記版胴の側方に配設されたギヤと、前記水着けローラの側方に配設されたギヤと、前記版胴の側方に配設されたギヤと前記水着けローラの側方に配設されたギヤとを連結する中間ギヤとを備え、前記水着けローラの側方に配設されたギヤは、前記水着けローラと前記版胴とを同一周速度で回転させるためのギヤより多くの歯数を有する。
【００１３】
請求項５に記載の発明は、請求項１乃至請求項４のいずれかに記載の多色印刷装置において、水着けローラ上に転移した湿し水をならすためのライダーローラをさらに備え、前記水着けローラと前記ライダーローラとは、前記駆動伝達手段とは別の駆動伝達手段を介して同一の周速度で回転する。
【発明の効果】
【００１４】
請求項１に記載の発明によれば、水着けローラを、印刷版から離隔した位置において、版胴の周速度より遅い周速度で回転させる駆動伝達手段を配設するとともに、駆動伝達手段は、水着けローラを版胴の回転方向とは逆方向に自由に回転可能とする一方向クラッチを備えることから、水着けローラが印刷版から離隔した位置にあっても水着けローラ上に一定の湿し水を保持することができ、水着けローラが印刷版と当接する際には、水着けローラは、水着けローラと印刷版との摩擦力により版胴の周速度と同一の周速度で回転することになる。これにより、印刷版に対して常に一定の湿し水を供給することができ、印刷版の品質を一定以上に保持することが可能となる。
【００１５】
請求項２に記載の発明によれば、印刷版から離隔した位置における水着けローラの周速度と、版胴の周速度との速度差は、版胴の周速度の３パーセント以下であることから、水着けローラ上に転移する湿し水を水着けローラの位置にかかわらずにほぼ一定に保持することが可能となる。これにより、印刷版に対して常に一定の湿し水を供給することができる。
【００１６】
請求項３に記載の発明によれば、駆動伝達手段は、版胴の側方に配設されたギヤと、水着けローラの側方に配設されたギヤと、版胴の側方に配設されたギヤと水着けローラの側方に配設されたギヤとを連結する中間ギヤとを備え、一方向クラッチは、水着けローラの側方に配設されたギヤと水着けローラとの間に配設されることから、水着けローラが印刷版と当接する際にも、中間ギヤ等の周速度は変化されることがない。このため、水着けローラが印刷版と当接するときに、中間ギヤ等による慣性力を排除することができ、慣性力による版胴の回転速度への影響を最小限に抑えることが可能となる。
【００１７】
請求項４に記載の発明によれば、水着けローラの側方に配設されたギヤは、水着けローラと版胴とを同一周速度で回転させるためのギヤより多くの歯数を有することから、簡易な構成でありながら、水着けローラが印刷版と離隔する際の水着けローラを必要な周速度に設定しておくことが可能となる。
【００１８】
請求項５に記載の発明によれば、さらにライダーローラを備えるため、より湿し水を均一にならすことができる。
【発明を実施するための最良の形態】
【００１９】
以下、この発明の実施の形態を図面に基づいて説明する。図１は、この発明に係る多色印刷装置の側面概要図である。
【００２０】
この多色印刷装置は、第１、第２の版胴１１、１２に各々２枚ずつ保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００２１】
この多色印刷装置は、第１の版胴１１と、第２の版胴１２と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を圧胴１５に渡すための給紙胴１７と、第１の圧胴１５から受け取った印刷物を第２の圧胴に渡すための渡し胴１８と、第２の圧胴１６に隣接して配置された排紙胴１９とを備える。
【００２２】
第１のブランケット胴１３と当接可能に設けられた圧胴１５は、第１の版胴１１および第１のブランケット胴１３の直径の１／２の直径を有する。また、第２のブランケット胴１４と当接可能に設けられた圧胴１６は、第２の版胴１２および第２のブランケット胴１４の直径の１／２の直径を有する。なお、第１および第２の圧胴１５、１６は、印刷用紙の先端を保持して搬送するための図示しないグリッパを有する。
【００２３】
また、第１の圧胴１５に隣接して配設された給紙胴１７は、第１の圧胴１５と同一の直径を有する。この給紙胴１７は、給紙部３１から１枚ずつ供給された印刷用紙の先端部を図示しないグリッパにより保持して搬送する。グリッパにより保持された印刷用紙の先端部は、給紙胴１７から第１の圧胴１５への印刷用紙の受け渡し時に、第１の圧胴１５のグリッパにより保持される。
【００２４】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の１５から受け取った印刷物の先端を図示しないグリッパにより保持して搬送し、この印刷物の先端を第２の圧胴１６のグリッパに受け渡す。
【００２５】
第２の圧胴１６に隣接して配置された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパが配設されている。第２の圧胴１６のグリッパにより保持された印刷用紙の先端部は、第２の圧胴１６から排紙胴１９への印刷物の受け渡し時に、排紙胴１９のいずれかのグリッパにより保持される。そして、この印刷物は、チェーン２３の移動に伴って、排紙部３２上に排出される。
【００２６】
第１、第２の圧胴１５、１６、給紙胴１７、排紙胴１９、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、その端部に付設されたギヤにより各々連結されている。従って、駆動モータの駆動により、これらの給紙胴１７、圧胴１５、排紙胴１７、第１、第２のブランケット胴１３、１４、第１、第２の版胴１１、１２は、互いに同期して回転する。
【００２７】
第１の版胴１１の周囲には、第１の版胴１１の外周部に装着された一方の印刷版に対し、例えばブラック（Ｋ）のインキを供給するためのインキ供給装置２０ａと、第１の版胴１１の外周部に装着された他方の印刷版に対し、例えばマゼンタ（Ｍ）のインキを供給するためのインキ供給装置２０ｂと、印刷版におけるインキ供給装置２０ａによりインキが供給される領域に湿し水を供給するための湿し水供給装置２１ａと、印刷版におけるインキ供給装置２０ｂによりインキが供給される領域に湿し水を供給するための湿し水供給装置２１ｂとが配置されている。また、第２の版胴１２の周囲には、第２の版胴１２の外周部に装着された一方の印刷版に対し、例えばシアン（Ｃ）のインキを供給するためのインキ供給装置２０ｃと、第２の版胴１２の外周部に装着された一方の印刷版に対し、例えばイエロー（Ｙ）のインキを供給するためのインキ供給装置２０ｄと、印刷版におけるインキ供給装置２０ｃによりインキが供給される領域に湿し水を供給するための湿し水供給装置２１ｃと、印刷版におけるインキ供給装置２０ｄによりインキが供給される領域に湿し水を供給するための湿し水供給装置２１ｄとが配置されている。
【００２８】
さらに、第１の版胴１１または第２の版胴１２の周囲には、それぞれ、第１の版胴１１の外周部に印刷版を供給するための給版部３３と、第２の版胴１２の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６とが配置されている。
【００２９】
図２は上述したインキ供給装置２０ａ、２０ｂ、２０ｃ、２０ｄ（これらを総称する場合には「インキ供給装置２０」という）におけるインキ供給部の側面概要図であり、図３はその平面図である。なお、図３においては、インキ５０の図示を省略している。
【００３０】
このインキ供給部は、その軸線方向が印刷物の幅方向（印刷機による印刷方向と直交する方向）に向けて配置されたインキ元ローラ５１と、印刷物の幅方向に対して分割されたＬ個の領域に対応してＬ個列設され、各々がインキ元ローラ５１の外周面に対する開度を調整可能に構成されたインキキー５４（１）、５４（２）・・・５４（Ｌ）（これらを総称する場合には「インキキー５４」という）と、第１の版胴１１または第２の版胴１２上の印刷版にインキを供給するためのインキ供給ローラ５２と、前記インキ元ローラ５１とインキ供給ローラ５２との間に配置され、両ローラと当接可能に揺動する揺動ローラ５３とを備え、これらのインキ元ローラ５１とインキキー５４とで構成されるインキつぼ内にインキ５０を貯留可能な構成となっている。
【００３１】
各インキキー５４の裏面側には、各インキキー５４のインキ元ローラ５１に対する開度を変更するために、インキキー５４をインキ元ローラ５１の表面に向けて各々押圧するための、Ｌ個の偏芯カム５５が配設されている。これらの偏芯カム５５は、各々、軸５６を介して、偏芯カ５５を回転駆動するためのＬ個のパルスモータ５７と連結されている。パルスモータ５７に対し、インキキー駆動パルスを印加した場合には、パルスモータ５７の駆動により軸５６を中心に偏芯カム５５が回転し、各インキキー５４への押圧力が変更されることにより、各インキキー５４のインキ元ローラ５１に対する開度が変更され、インキ元ローラ５１へのインキの供給量が変更される。
【００３２】
インキ供給ローラ５２は、図１に示すように、複数のインキローラを介して、後述するインキ着けローラ５８にインキを供給する構成となっている。このインキ着けローラ５８は、第１の版胴１１または第２の版胴１２と当接することにより、印刷版にインキを供給するローラである。
【００３３】
図４は、湿し水供給装置２１ａ、２１ｂ、２１ｃ、２１ｄ（これらを総称する場合には「湿し水供給装置２１」という）における湿し水供給部を示す概略図である。
【００３４】
これらの湿し水供給装置２１は、インキ供給装置２０により印刷版Ｐにインキを供給する前に、印刷版Ｐに湿し水を供給するものであり、湿し水を貯留する貯留槽７４と、この貯留槽７４に一部浸漬するように配置された水元ローラ７５と、第１版胴１１または第２の版胴１２上の印刷版に対し当接して回転する水着けローラ７７と、前記水元ローラ７５と水着けローラ７７との間に配置され、両ローラと当接する渡しローラ７６と、前記水着けローラ７７に対し当接するライダーローラ７８とを備える。
【００３５】
貯留槽７４は、図示しない循環手段によって循環される湿し水を貯留するものであって、例えば図示しないオーバーフロー機構により湿し水の水位を一定に保っている。また循環される湿し水の水温を一定に保つ図示しない温度調整機構も備えられている。
【００３６】
水元ローラ７５は、その表面に湿し水を保持可能なゴムローラであり、図示しない駆動手段によって、図３における反時計方向に回転されることにより、前記貯留槽７４からその表面に湿し水を汲み上げる。なお、水元ローラ７５の回転速度は湿し水の供給量に応じ、図示しない制御手段によって変更することができる。
【００３７】
水着けローラ７７は、前記渡しローラ７６との当接を維持した状態で、図示しないカム機構によって第１の版胴１１または第２の版胴１２に対し、図３において実線で示す当接位置と二点鎖線で示す離隔位置とを移動可能に構成されたゴムローラであり、第１の版胴１１または第２の版胴１２と同一周方向に回転する。（なお、同一周方向に回転するとは、図４の符号Ａ、Ｂに示す関係にあり、これは、版胴１１の回転方向Ａと水着けローラ７７の回転方向Ｂとが逆回転の関係にあるともいえる。）この水着けローラ７７は、前記水元ローラ７５が汲み上げた湿し水を渡しローラ７６を介して受け取り、所定の版面に対し供給する。
【００３８】
また、水着けローラ７７は、渡しローラ７６の回転軸９２（図５参照）を中心に、図３において仮想線で示すように、第１の版胴１１の外周部に装着される印刷版Ｐと当接する位置と印刷版Ｐから離隔する位置との間を移動可能に構成されている。
【００３９】
渡しローラ７６は、その表面が親水処理された金属ローラであって、水元ローラ７５から水着けローラ７７に対し湿し水を伝達する。この渡しローラ７６は図示しない揺動手段によって第１の版胴１１または第２の版胴１２の軸線方向に揺動するように構成されている。
【００４０】
ライダーローラ７８は、水着けローラ７７上に転移した湿し水を受けて押しならすための金属ローラである。このライダーローラ７８も図示しない揺動手段により第１の版胴１１または第２の版胴１２の軸線方向に対し揺動するように構成されている。
【００４１】
再度図１を参照して、第１の版胴１１または第２の版胴１２の周囲には、それぞれ、第１の版胴１１の外周部に印刷版Ｐを供給するための給版部３３と、第２の版胴の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６と、第１の版胴１１および第２の版胴１２に共通の排版部とが配置されている。
【００４２】
このような構成を有する印刷装置においては、給版部３３における供給カセット４１から引き出された印刷版はカッター４２により所定のサイズに切断される。そして、切断されたシート状の印刷版の先端部は、ガイドローラおよびガイド部材により案内され、第１の版胴１１のくわえ爪にくわえられる。そして、第１の版胴１１が回転して印刷版が第１の版胴１１の外周部に巻き付けられ、印刷版の後端部は他方のくわえ爪によりくわえられる。この状態において、第１の版胴１１を低速で回転させながら、画像記録装置３５により第１の版胴１１の外周部に保持された印刷版の表面に変調されたレーザビームを照射し、画像を記録する。
【００４３】
同様に、給版部３４における供給カセット４３から引き出された印刷版はカッター４４により所定のサイズに切断される。そして、切断されたシート状の印刷版の先端部は、ガイドローラおよびガイド部材により案内され、第２の版胴１２のくわえ爪にくわえられる。そして、第２の版胴１２が回転して印刷版が第２の版胴１２の外周部に巻き付けられ、印刷版の後端部は他方のくわえ爪によりくわえられる。この状態において、第２の版胴１２を低速で回転させながら、画像記録装置２６により第２の版胴１２の外周部に保持された印刷版の表面の印刷有効領域に変調されたレーザビームを照射し、画像を記録する。
【００４４】
製版工程が完了すれば、第１、第２の版胴１１、１２上の印刷版を用いて印刷用紙に印刷を行う印刷工程を実行する。この印刷工程は、次のようにして実行される。
【００４５】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００４６】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００４７】
このようにして、４色の印刷が終了した印刷用紙の先端部は、圧胴１５から排紙胴１７に渡される。そして、４色の印刷が終了した印刷用紙は、一対のチェーン１９の駆動により、排紙部３２に向けて搬送されて排出される。
【００４８】
印刷工程が終了すれば、印刷に使用した印刷版を排版部に排出する。そして、図示しないブランケット胴洗浄装置により第１、第２のブランケット胴１３、１４を洗浄して印刷工程を終了する。
【００４９】
図５は、第１の版胴１１と、渡しローラ７６、水着けローラ７７およびライダーローラ７８との関係を、展開して示す説明図である。
【００５０】
水着けローラ７７は、渡しローラ７６およびライダーローラ７８と当接した状態で回転可能に配置される。水着けローラ７７には、駆動伝達手段により、第１の版胴１１の駆動が伝達される。そして、水着けローラ７７は、この駆動伝達手段により第１の版胴１１の周速度より若干だけ遅い周速度で回転する。
【００５１】
この駆動伝達手段は、第１の版胴１１の側方に配設された駆動ギヤ８１と、駆動ギヤ８１と噛合して回転する伝達ギヤ８２と、伝達ギヤ８２と共通の軸９１を有し伝達ギヤ８２の駆動に伴い回転する伝達ギヤ８３と、伝達ギヤ８３と噛合して回転する中間ギヤ８４と、中間ギヤ８４と噛合して回転する渡しローラ７６の側方に配設された駆動ギヤ８５と、駆動ギヤ８５と噛合して回転する水着けローラ７７の側方に配設された駆動ギヤ８６とを備える。
【００５２】
この駆動ギヤ８６は、水着けローラ７７と第１の版胴１１とを同一周速度で回転させるために本来必要なギヤの歯数ｍ１よりも多くの歯数ｍ２を有する。なお、実際に使用される駆動ギヤ８６の歯数ｍ２と、水着けローラ７７と第１の版胴１１とを同一周速度で回転させるために本来必要とされる駆動ギヤ８６の歯数ｍ１との差は、本来必要とされる駆動ギヤ８６の歯数ｍ１の３パーセント以下である。すなわち、水着けローラの直径をｄ、第１の版胴１１の直径をＤ、駆動ギヤ８１の歯数をＭとした場合に、本来のｍ１は、ｍ１＝（ｄ／Ｄ）・Ｍであるが、これを（ｄ／Ｄ）・Ｍ＜ｍ２≦１．０３[（ｄ／Ｄ）・Ｍ]と設定している。
【００５３】
このように、水着けローラ７７の周速度を版胴１１の周速度よりも若干だけ遅くしているのは、駆動ギヤ８１、８５、伝達ギヤ８２、８３、中間ギヤ８４等の精度やバックラッシュ等により、水着けローラ７７の周速度が版胴１１の周速度を越えないようにするためである。
【００５４】
つまり、水着けローラ７７の周速度が版胴１１の周速度よりも速いと、水着けローラ７７と版胴１１とが当接した場合に、「すべり」が生じることになり、「ギヤ目」が発生するためである。もちろん、水着けローラ７７の周速度が版胴１１の周速度よりも遅いときも、「すべり」が生じるため、これを防ぐために、本発明では、水着けローラ７７の駆動側に一方向クラッチ１００を設けている。
【００５５】
すなわち、駆動伝達手段は、水着けローラ７７と水着けローラ７７の側方に配設される駆動ギヤ８６と同一の軸９３上であって、水着けローラ７７に近接する側に、水着けローラ７７を第１の版胴１１の回転方向とは逆方向に自由に回転可能とする一方向クラッチ１００を備える。このため、水着けローラ７７が印刷版Ｐと当接する際には、水着けローラ７７が印刷版Ｐとの摩擦力を受けて、第１の版胴１１と同一の周速度で回転することが可能となる。また、この一方向クラッチ１００が水着けローラ７７の側方に配設されることから、水着けローラ７７が印刷版Ｐと当接する際に、伝達ギヤ８２、伝達ギヤ８３、中間ギヤ８４、および駆動ギヤ８５の周速度が変化することがない。このため、水着けローラ７７が印刷版Ｐと当接するときに、中間ギヤ８４等による慣性力を排除することができ、慣性力による第１の版胴１１の回転速度への影響を最小限に抑えることが可能となる。
【００５６】
なお、水着けローラ７７は、版胴１１から離間しているときも、当接時とできる限り同じ比率で回転しなければ、湿し水の供給にムラが生じる。このため、本出願人が試験的に求めた周速度の比率としては、３パーセント以内が好ましいことが判った。仮に、水着けローラ７７の当接時と離間時との間で、比較的大きな速度差があると、湿し水の供給にムラが生じたり、また、水着けローラ７７が版胴１１へ当接する際の衝撃が大きくなりすぎる、という問題がある。
【００５７】
水着けローラ７７の側方には、ライダーローラ７８に駆動を伝達するための駆動伝達ギヤ８７が配設される。この駆動伝達ギヤ８７は、ライダーローラ７８の側方に配設される駆動ギヤ８８と噛合し、水着けローラ７７とライダーローラ７８とは同期して回転する。この駆動伝達ギヤ８７および水着けローラ７７は、駆動ギヤ８６が取り付けられる軸９３から取り外し可能な構成となっている。このため、水着けローラ７７とライダーローラ７８とを駆動伝達手段と別個に着脱することができ、水着けローラ７７とライダーローラ７８との着脱を容易にすることが可能となる。
【００５８】
なお、上述したように、水着けローラ７７は、渡しローラ７６の回転軸９２を中心に、図３において仮想線で示すように、第１の版胴１１の外周部に装着される印刷版Ｐと当接する位置と印刷版Ｐから離隔する位置との間を移動可能に構成されている。
【００５９】
以上のような構成を有する水着けローラ７７が印刷版Ｐから離隔する位置に配置されているときには、水着けローラ７７は、第１の版胴１１の周速度より遅い周速度で回転する。水着けローラ７７の側方に配設される駆動ギヤ８６の歯数と第１の版胴１１の側方に配設される駆動ギヤ８１の歯数との差が、駆動ギヤ８１の歯数の３パーセント以下であることから、このときの水着けローラ７７の周速度と第１の版胴１１の周速度との速度差は、第１の版胴１１の周速度の３パーセント以下である。
【００６０】
一方、水着けローラ７７が印刷版Ｐと当接する位置に配置されているときには、水着けローラ７７は、印刷版Ｐとの間で生じる摩擦力により、第１の版胴１１の周速度と同一の周速度で回転する。このため、第１の版胴１１と水着けローラ７７との間で、周速差が生ずることはなく、ギヤ目が発生することはない。
【００６１】
このように、印刷版Ｐと当接する位置における水着けローラ７７の周速度と、印刷版Ｐから離隔する位置における水着けローラ７７に周速度との差が小さいことから、水着けローラ７７が印刷版Ｐと当接する位置にあると、離隔する位置にあるとにかかわらず、水着けローラ７７上に転移する湿し水をほぼ一定に保持することが可能となる。これにより、第１の版胴１１の外周部に装着された印刷版Ｐに対して常に一定の湿し水を供給することが可能となる。
【００６２】
なお、上述した説明においては、第１の版胴１１と第１の版胴１１の周囲に配設される水着けローラ７７との関係のみについて説明したが、第２の版胴１２と第２の版胴の周囲に配設される水着けローラ７７との関係も第１の版胴１１と第１版胴の周囲に配設される水着けローラ７７との関係と同様の関係を有する。
【００６３】
また、上述した実施形態において、一方向クラッチ１００は、水着けローラ７７の側方に配設しているが、駆動伝達手段を構成する他の軸に配設してもよい。
【００６４】
さらに、上述した実施形態において、第１の版胴１１および第２の版胴１２には、各々２枚の印刷版Ｐが保持されているが、それぞれの版胴１１、１２には、複数の画像領域が形成された単一の印刷版を保持してもよい。
【図面の簡単な説明】
【００６５】
【図１】この発明に係る印刷機の側面概要図である。
【図２】インキ供給装置２０におけるインキ供給部の側面概要図である。
【図３】インキ供給装置２０におけるインキ供給部の平面図である。
【図４】湿し水供給装置２１における湿し水供給部を示す概略図である。
【図５】第１の版胴１１と、渡しローラ７６、水着けローラ７７およびライダーローラ７８との関係を、展開して示す説明図である。
【符号の説明】
【００６６】
１１    第１の版胴
１２    第２の版胴
１３    第１のブランケット胴
１４    第２のブランケット胴
１５    第１の圧胴
１６    第２の圧胴
１７    給紙胴
１８    渡し胴
１９    排紙胴
２０    インキ供給装置
２１    湿し水供給装置
２３    チェーン
３１    給紙部
３２    排紙部
３３    給版部
３４    給版部
３５    画像記録装置
３６    画像記録装置
５０    インキ
５１    インキ元ローラ
５２    インキ供給ローラ
５３    揺動ローラ
５４    インキキー
５５    偏芯カム
５６    軸
５７    パルスモータ
５８    インキ着けローラ
７４    貯留槽
７５    水元ローラ
７６    渡しローラ
７７    水着けローラ
７８    ライダーローラ
８１    駆動ギヤ
８２    伝達ギヤ
８３    伝達ギヤ
８４    中間ギヤ
８５    駆動ギヤ
８６    駆動ギヤ
８７    駆動伝達ギヤ
８８    駆動ギヤ
９１    軸
９２    軸
９３    軸
９４    軸
１００  一方向クラッチ
Ｐ      印刷版
【図１】
2005254649.tif 000003
【図２】
2005254649.tif 000004
【図３】
2005254649.tif 000005
【図４】
2005254649.tif 000006
【図５】
2005254649.tif 000007